(57)【特許請求の範囲】
【請求項１】
左右方向に貫通するライン支持用の孔が形成された前後方向に長尺なルアーであって、
前記ライン支持用の孔が、前記前後方向に関して、ルアー前部の第１位置から当該第１位置より後方の第２位置まで延びており、
前記第２位置において上方に突出した突出部が前記ライン支持用の孔に形成されており、
前記ライン支持用の孔における上部の縁辺が、前記第１の位置から前記突出部に至るまでの範囲に亘って、左右方向から見て下方に凸に湾曲していることを特徴とするルアー。
【請求項２】
前記第２位置より前方及び後方のいずれか一方に重心が配置されていることを特徴とする請求項１に記載のルアー。
【請求項３】
左右方向に貫通するライン支持用の孔が形成された前後方向に長尺なルアーの使用方法であって、
前記ライン支持用の孔が、前記前後方向に関して、ルアー前部の第１位置から当該第１位置より後方の第２位置まで延びていると共に、前記第２位置において上方に突出しており、
前記ライン支持用の孔に沿って支持位置が移動可能であるように前記ライン支持用の孔にラインを支持した前記ルアーを、前記支持位置を前記第１位置としつつキャストすると共に、ルアーの着水後に、前記支持位置を前記第２位置としつつ前記ラインを巻き取ることを特徴とするルアーの使用方法。
【請求項４】
前記第２位置において上方に突出した突出部が前記ライン支持用の孔に形成されており、
前記ライン支持用の孔における上部の縁辺が、前記第１の位置から前記突出部に至るまでの範囲において、左右方向から見て上方又は下方に凸に湾曲していることを特徴とする請求項３に記載のルアーの使用方法。
【発明の詳細な説明】
【技術分野】
【０００１】
本発明は、ルアーに関する。
【背景技術】
【０００２】
従来、釣り用のルアーについて、ラインの支持位置がルアーの前後方向に関して比較的後方（例えば、ルアーの背部）に設定されることがある。これによると、ラインを巻き取った際に水中においてルアーが振動するため、効果的に魚が誘引される。しかしながら、ラインの支持位置がルアーの背部に固定されると、ルアーが投げられた際に、ルアーの腹部を飛翔方向に向けて飛翔しやすい。この場合、ルアーが飛翔中に空気抵抗を受けやすく、ルアーの飛距離が伸びにくい。
【０００３】
これに対し、特許文献１は、ルアーの頭部と背部の間を先端が移動するように回転可能なライン連結具をルアーに設けている。ラインはライン連結具の先端に支持される。これによると、ルアーが投げられた際に、ライン連結具の先端がルアーの頭部に配置される。よって、ルアーが後部を飛翔方向に向けて飛翔しやすくなり、飛翔中にルアーが受ける空気抵抗が小さくなるため、飛距離が伸びやすい。
【先行技術文献】
【特許文献】
【０００４】
【特許文献１】特開２００２−３３０６７３号公報
【発明の概要】
【発明が解決しようとする課題】
【０００５】
特許文献１の構成は回転機構を要するため、比較的複雑である。また、ラインが支持されるライン連結具の先端が移動する範囲は、ライン連結具の回転移動の範囲によって規定される。このため、ラインの支持位置が移動する範囲には機構的に限界がある。したがって、特許文献１の構成によると、ラインの支持位置が変動する範囲が小さいルアーを設計することには対応できるが、ラインの支持位置が変動する範囲が大きいルアーを設計することは困難である。
【０００６】
本発明の目的は、簡易な構造でラインの支持位置を変動させることができ、且つ、ラインの支持位置の変動範囲に関して設計自由度が高いルアーを提供することにある。
【課題を解決するための手段】
【０００７】
本発明のルアーは、左右方向に貫通するライン支持用の孔が形成された前後方向に長尺なルアーであって、前記ライン支持用の孔が、前記前後方向に関して、ルアー前部の第１位置から当該第１位置より後方の第２位置まで延びており、前記第２位置において上方に突出した突出部が前記ライン支持用の孔に形成されており、前記ライン支持用の孔における上部の縁辺が、前記第１の位置から前記突出部に至るまでの範囲に亘って、左右方向から見て下方に凸に湾曲している。
【０００８】
本発明のルアーにおいては、ライン支持用の孔が第１位置から第２位置まで前後方向に関して延びている。したがって、支持位置が変動可能となるようにこの孔にラインを支持させることができる。この場合、孔という簡易な構成でラインの支持位置を変動可能にできる。また、前後方向に関して孔の形成範囲を調整することでラインの支持位置が変動する範囲を容易に調整することができる。このため、ラインの支持位置の変動範囲に関して設計自由度が高い。
【０００９】
一方、本発明者は、ラインの支持位置がルアーの前後方向に関して変動可能である構成について鋭意研究した結果、以下の２点を知見した。第１の点は、ルアーを投げた直後にはラインの支持位置が孔の前部になることである。これによると、ルアーは、後部を飛翔方向に向けて適切に飛翔する。第２の点は、ルアーが着水してラインの巻き取りを開始するまでのいずれかのタイミングでラインの支持位置が孔に沿って後方に移動することである。これによると、ラインの巻き取りを開始した際にラインの支持位置が比較的後方になる。したがって、着水後、ラインを巻き取った際に魚を誘引する効果を適切に確保できる。
【００１０】
しかしながら、本発明者はさらに、ラインの支持位置が一旦後方に配置されたとしても、着水の状況やラインの巻き取り方に応じてラインの支持位置が変動するおそれがあることに着目した。
【００１１】
そこで、本発明者は、ライン支持用の孔を第２位置において上方に突出させることとした。これにより、ラインの支持位置が後方に移動し、第２位置まで到達すると、ラインの支持部がこの突出した部分にはまり込み、ラインの支持位置が維持されやすいことが判明した。したがって、本発明は、ラインを巻き取った際に魚を誘引する効果を適切に確保することが可能なものである。また、ライン支持用の孔における上部の縁辺が、前記第１の位置から前記突出部に至るまでの範囲に亘って下方に凸に湾曲している。したがって、第１位置から突出部に至るまでの範囲全体にわたってラインの支持位置が移動するのが遅くなる。よって、ルアーの飛距離が伸びやすい。
【００１２】
なお、本発明における前後方向は、ルアーにおいて互いに最も離隔した２端点が前端及び後端となるような方向とする。また、上下方向及び左右方向は、それぞれ前後方向に直交すると共に互いに直交する方向とする。
【００１５】
また、本発明においては、前記第２位置より前方及び後方のいずれか一方に重心が配置されていることが好ましい。また、本発明の別の観点において、ルアーの使用方法は、左右方向に貫通するライン支持用の孔が形成された前後方向に長尺なルアーの使用方法であって、前記ライン支持用の孔が、前記前後方向に関して、ルアー前部の第１位置から当該第１位置より後方の第２位置まで延びていると共に、前記第２位置において上方に突出しており、前記ライン支持用の孔に沿って支持位置が移動可能であるように前記ライン支持用の孔にラインを支持した前記ルアーを、前記支持位置を前記第１位置としつつキャストすると共に、ルアーの着水後に、前記支持位置を前記第２位置としつつ前記ラインを巻き取る。また、本発明のルアーの使用方法においては、前記第２位置において上方に突出した突出部が前記ライン支持用の孔に形成されており、前記ライン支持用の孔における上部の縁辺が、前記第１の位置から前記突出部に至るまでの範囲において、左右方向から見て上方又は下方に凸に湾曲していることが好ましい。
【図面の簡単な説明】
【００１６】
【図１】本発明の一実施形態に係るルアーの側面図である。
【図２】図１のＩＩ−ＩＩ線断面図である。
【図３】図３（ａ）は図１のスライド孔周辺の拡大図である。図３（ｂ）は図１のスライド孔とは別のスライド孔が適用されたルアーのスライド孔周辺の拡大図である。
【図４】本発明の一実施例に係るルアーの飛翔状況を示す模式図である。
【図５】図３のルアーに対する変形例に係るルアーの一部拡大側面図である。
【発明を実施するための形態】
【００１７】
本発明の一実施形態に係るルアー１について、図１〜図３を参照しつつ説明する。ルアー１は、図１に示すように、魚を模した形状を有している。ルアー１は、魚体に対応する本体２、魚の背側に形成された背板部３、及び、魚の腹側に形成された腹板部４を有している。これらの各部は、金属、高分子樹脂、木などのさまざまな材料から構成されてよい。ルアー１において互いに最も離隔した２端点は、背板部３の両端１ａ及び１ｂである。以下、端点１ａを前端、端点１ｂを後端として、前後方向を規定する。ルアー１の全体は前後方向に長尺である。また、前後方向に直交する方向のうち、ルアー本体２（以下、単に「本体２」とする）から背板部３に向かう方向を上方、本体２から腹板部４に向かう方向を下方とする。さらに、前後方向及び上下方向のいずれにも直交する方向を左右方向とする。
【００１８】
背板部３は、図１に示すように、左右方向から見て、本体２よりわずかに前方から本体２より後方まで延びており、本体２の上端部から上方に向かって突出した、なだらかな稜線を有する山型に形成されている。背板部３の後端部にはフック固定用のアイ７が形成されている。背板部３の前半部にはライン支持用のスライド孔１０が形成されている。スライド孔１０の詳細については後述する。腹板部４は、本体２の下端部から下方に向かって突出している。腹板部４にはフック固定用のアイ８が形成されている。背板部３及び腹板部４は、図２に示すように、本体２内に形成された内部板５と共に、左右方向に直交する面方向に延びた１枚の平板６からなる。
【００１９】
本体２は、全体として前後方向に長尺な紡錘型の概略形状を有している。本体２の前部は、図１に示すように、左右方向から見て、前方に向かって先細りになっており、魚の頭部を模している。本体２の前部から後方につながる部分は下方に向かって突出しており、魚の腹部を模している。本体２の後半部は、後方に向かって細長く延びており、魚の尾部を模している。本体２は、図２に示すように、内部板５から右方に突出した右半部２Ｒ及び内部板５から左方に突出した左半部２Ｌとからなる。右半部２Ｒ及び左半部２Ｌが平板６に接合されることによりルアー１が作製されている。
【００２０】
以下、ライン支持用のスライド孔１０について図１並びに図３（ａ）及び図３（ｂ）を参照しつつ説明する。スライド孔１０は、前後方向に関して位置Ｐ１から、それより後方の位置Ｐ２まで延びている。位置Ｐ１は、ルアー１の前端付近の位置である。位置Ｐ２は、前後方向に関するルアー１の中央よりやや前方の位置である。スライド孔１０の上部の縁辺１０ａは、図３（ａ）に示すように、位置Ｐ１から、下方に向かって凸に緩やかに湾曲しつつ、ななめ上方の位置Ｐ２に向かって延びている。スライド孔１０は、位置Ｐ２においては、上方に向かって湾曲しつつ突出している。これにより、突出部１０ｂが形成されている。なお、背板部３の代わりに、図３（ｂ）に示すように、上部の縁辺１１ａが上方に向かって凸に湾曲したスライド孔１１が形成された背板部３’が用いられてもよい。スライド孔１１にも、上方に向かって突出した突出部１１ｂが、位置Ｐ２に形成されている。以下、スライド孔１０に関する記載内容は、特に断りがない限り、スライド孔１１にも同様に適用されるものとする。
【００２１】
ルアー１の重心位置は、目的に応じて調整されていることが好ましい。例えば、位置Ｐ２に対して重心位置が前方にあってもよいし、後方にあってもよい。前者と後者では、後述の実施例に示す通り、飛翔距離に違いがあると共に、水中での挙動に違いがある。したがって、釣りのターゲットや環境等の条件に応じて適宜選択されることが好ましい。重心位置の調整は、本体２の形状を変更したり、本体２の内部などに、本体２を構成する材料より大きな密度の材料からなる錘を配置したりすることによってなされる。
【００２２】
ルアー１は、アイ７及び８にフックを取り付けると共に、図１に示すように、スプリットリングＳなどの連結金具を介してスライド孔１０にラインＬを支持させることで使用される。スプリットリングＳなどの連結金具は、スライド孔１０に沿ってスライド移動が可能であるようにスライド孔１０に取り付けられる。これにより、ラインＬの支持位置は、スライド孔１０に沿って位置Ｐ１から位置Ｐ２の間で自由に変動する。
【００２３】
［実施例］
以下、本発明に係る実施例について説明する。本実施例は、上述の実施形態に係るルアーを竿及びリールを用いてキャストし、ルアーの飛翔状況を観測すると共に、ルアーの飛距離を測定した結果に関する。本実施例に用いたルアーは、ルアーＡ１〜Ａ３及びＢ１〜Ｂ３の６種類である。ルアーＡ１〜Ａ３としては、図３（ａ）に示すスライド孔１０が形成されたルアー１を用いた。また、ルアーＢ１〜Ｂ３としては、ルアー１の背板部３を図３（ｂ）に示す背板部３’に変えたものを用いた。ルアーＡ１及びＢ１においては位置Ｐ２より前方に重心を配置し、ルアーＡ２及びＢ２においては位置Ｐ２に重心を配置し、ルアーＡ３及びＢ３においては位置Ｐ２より後方に重心を配置した。
【００２４】
これらのルアーのアイ７及び８にフックを付け、スプリットリングＳを介してラインＬをスライド孔１０に支持させた。フックやラインに関する条件は、ルアーＡ１〜Ａ３及びＢ１〜Ｂ３に関して互いに共通とした。また、キャスティングに用いた竿やリールも共通とした。
【００２５】
以上の条件下、なるべく遠くまでルアーを到達させるように同様なキャスト方法で、６種類のルアーのそれぞれについて、湖水に向かってキャスティングを６回行った。ルアーの飛翔状況を観測した結果、６回のキャスティングのいずれにおいても、基本的な飛翔状況は図４のＰ〜Ｔに示す通りとなった。Ｐ〜Ｔは、飛翔中のルアーにおけるキャスト直後から着水直前までの各姿勢を示している。Ｐ→Ｑ→Ｒ→Ｓ→Ｔの順序はキャストからの時間経過と対応している。Ｐ〜Ｒに示すように、キャスト直後からルアーの飛翔途中まで、ラインＬの支持位置がスライド孔１０又は１１の前端部（位置Ｐ１の部分）に維持された。そして、この期間中、ルアーの後部を飛翔方向に向けてルアーが飛翔し続けた。したがって、この期間は、ラインの支持位置が常にルアー背部にあるルアーＱ’と比べ、ルアーが受ける空気抵抗が小さいため、ルアーの飛翔距離を伸ばすのに貢献することが分かった。
【００２６】
一方、ルアーの飛翔途中におけるいずれかのタイミングにおいて、図４のＳに示すように、ラインＬの支持位置がスライド孔１０又は１１の前端部（位置Ｐ１の部分）から後端部（位置Ｐ２の部分）に移動した。そして、ラインＬの支持位置が突出部１０ｂ又は１１ｂに落ち着くと共に、ルアーが失速し、図４のＴに示すように、ルアーの前後方向がほぼ鉛直に立ち上がった状態で、ルアーがその前端から着水した。
【００２７】
ルアーＡ１〜Ａ３とルアーＢ１〜Ｂ３の間で飛翔状況を比較すると、ラインＬの指示位置が位置Ｐ２に到達するタイミングが異なった。図４のＳは、前者においてラインＬの指示位置が位置Ｐ２に到達したときのルアーの位置に対応する。一方、図４のＳ’は、後者においてラインＬの指示位置が位置Ｐ２に到達したときのルアーの位置に対応する。このように、前者の方が後者よりも、ラインＬの支持位置が位置Ｐ２に到達するタイミングが、図４のΔに対応するタイミングだけ遅れた。また、ルアーＡ１〜Ａ３同士、及び、ルアーＢ１〜Ｂ３同士で飛翔状況を比較した結果、重心位置が位置Ｐ２より前方にある場合の方が、重心位置が位置Ｐ２より後方にある場合と比べ、ラインＬの支持位置が位置Ｐ２に到達した後のルアーの挙動が安定した。具体的には、重心位置が位置Ｐ２より後方にある場合、図４のＴ’に示すようにルアーが前者と比べて水平に近い姿勢を取りやすくなり、ふらついたりするなど、その姿勢が不安定になった。重心位置が位置Ｐ２にある場合は、重心位置が位置Ｐ２より前方にある場合の方と重心位置が位置Ｐ２より後方にある場合との中間的な挙動を示した。
【００２８】
ルアーＡ１〜Ａ３及びＢ１〜Ｂ３それぞれの飛距離を測定した結果が、以下の表１である。表１の数値は、ルアーの着水後、ルアーを竿近くの所定位置まで引き戻すために必要であったリールの巻き数を示している。表１に示すように、ルアーＡ１〜Ａ３の方がルアーＢ１〜Ｂ３よりも全体的に飛距離が伸びている。この結果と上記観測結果とを照らし合わせると、ルアーＡ１〜Ａ３は、ラインＬの支持位置が位置Ｐ２に到達するタイミングが遅れることにより、飛距離が伸びたと考えられた。また、表１に示すように、ルアーＡ１〜Ａ３同士では飛距離の平均値の大小関係がＡ１＞Ａ２＞Ａ３となっている。ルアーＢ１〜Ｂ３同士では飛距離の平均値の大小関係がＢ１＞Ｂ２＞Ｂ３となっている。この結果と上記観測結果とを照らし合わせると、重心が位置Ｐ２より前方にある場合には、ラインＬの支持位置が位置Ｐ２に到達した後、ルアーの挙動が安定することにより、飛距離が伸びたと考えられた。
【００２９】
なお、ルアーＡ１〜Ａ３及びＢ１〜Ｂ３のいずれにおいても、着水後、ルアーを巻き取る際にルアーが適切に振動した。つまり、いずれのルアーも魚を誘引する動作を適切に行った。ルアーＡ１〜Ａ３であるかルアーＢ１〜Ｂ３であるかに関わらず、重心位置が前方にあるものほど水中を進行するときのルアーの位置が水面下深く、且つ、ルアーが細かく振動した。一方、重心位置が後方にあるものほど水中を進行するときのルアーの位置が水面下浅く、且つ、ルアーが大きく振動した。
【００３０】
［表１］
0005841272.tif 000002
【００３１】
［本実施形態の効果］
以上の通り、上述の実施形態に係るルアー１によると、ラインＬを支持するためのスライド孔１０又は１１が位置Ｐ１から位置Ｐ２まで前後方向に関して延びている。そして、ラインＬの支持位置が変動可能となるようにスライド孔１０又は１１にラインＬを支持させる。この場合、スライド孔１０又は１１という簡易な構成でラインＬの支持位置を変動可能にできる。また、前後方向に関してスライド孔１０又は１１の形成範囲を調整することでラインＬの支持位置が変動する範囲を容易に調整することができる。このため、ラインＬの支持位置の変動範囲に関して設計自由度が高い。さらに、上述の実施例に示すように、ルアー１を投げた直後にはラインＬの支持位置が孔の前部になるため、ルアー１の後部が飛翔方向を向く。よって、ラインの支持位置が常にルアー背部にあるルアーと比べ、飛距離を伸ばすことができる。また、ルアー１が着水してラインＬの巻き取りが開始されるまでに、ラインＬの支持位置がスライド孔１０又は１１の後部へと移動する。よって、ラインＬを巻き取った際、ルアーが振動して適切に魚を誘引することができる。
【００３２】
しかしながら、ラインＬの支持位置がスライド孔１０又は１１の後部に一旦配置されたとしても、着水の状況やラインＬの巻き取り方に応じてラインＬの支持位置が変動するおそれがある。
【００３３】
これに対し、本実施形態に係るスライド孔１０又は１１には、上方に突出した突出部１０ｂ又は１１ｂが位置Ｐ２に形成されている。これにより、上述の実施例の通り、ラインＬの支持部であるスプリットリングＳが位置Ｐ２まで到達すると、突出部１０ｂ又は１１ｂにはまり込むことが確認された。そして、着水後、ルアーを巻き取る際にルアーが適切に振動した。つまり、ラインＬの支持位置が突出部１０ｂ又は１１ｂにはまり込むことで、その状態がラインＬの巻き取り時まで維持されやすい。このように、本実施形態に係るルアー１は、飛翔中に後部を飛翔方向に向けることで飛距離を伸ばすことができると共に、ラインＬの支持位置が突出部１０ｂ又は１１ｂにはまり込むので、着水後、ラインＬを巻き取った際に魚を誘引する効果を適切に確保することが可能である。
【００３４】
また、上述の実施例によると、ルアーＡ１〜Ａ３は、ルアーＢ１〜Ｂ３と比べ、ラインＬの支持位置が位置Ｐ２に到達するタイミングが遅れることにより、飛距離が伸びた。これは、ルアーＡ１〜Ａ３の飛翔中、スプリットリングＳがスライド孔１０の上部の縁辺１０ａに沿って位置Ｐ２に向かう場合と、ルアーＢ１〜Ｂ３の飛翔中、スプリットリングＳがスライド孔１１の上部の縁辺１１ａに沿って位置Ｐ２に向かう場合とを比べると、前者の場合の方が後者の場合よりもスプリットリングＳが移動しにくいためである。スライド孔１０の上部の縁辺１０ａは下方に向かって凸に湾曲している。一方、スライド孔１１の上部の縁辺１１ａは上方に向かって凸に湾曲している。つまり、上部の縁辺が上方に向かって凸に湾曲している場合よりも、上部の縁辺が下方に向かって凸に湾曲している場合の方が、スプリットリングＳが移動しにくい構造であるといえる。
【００３５】
以上のことから、スライド孔における上部の縁辺を、少なくとも一部において下方に向かって凸に湾曲したものとすれば、その部分においては、上部の縁辺が上方に向かって凸に湾曲した部分と比べ、ラインの支持位置が後方に移動するのが遅くなる。つまり、上部の縁辺１１ａの全体が上方に向かって凸に湾曲したスライド孔１１に比べ、ルアーの飛距離を伸ばすことができる。さらに、スライド孔１０のように、上部の縁辺を位置Ｐ１〜Ｐ２の全範囲に亘って下方に凸に湾曲したものとすると、位置Ｐ１〜Ｐ２の全範囲に亘ってラインＬの支持位置が移動するのが遅くなる。よって、ルアーの飛距離が伸びやすい。
【００３６】
また、上部の縁辺が直線状である場合も、上部の縁辺が上方に向かって凸に湾曲している場合と比べ、スプリットリングＳが移動しにくい構造である。したがって、上述の実施形態に係る背板部３の代わりに図５に示す背板部１０３が用いられてもよい。背板部１０３には、位置Ｐ１から位置Ｐ２まで直線状に延びたスライド孔１２が形成されている。位置Ｐ２において、上方に向かって突出した突出部１２ｂが形成されている。スライド孔１２の上部の縁辺１２ａは直線状に形成されている。この場合、位置Ｐ１〜Ｐ２の全範囲に亘ってラインＬの支持位置が移動するのが遅くなる。さらに、スライド孔の上部の縁辺における一部のみが縁辺１２ａのように直線状に形成されていてもよい。この場合、少なくともその部分において、上部の縁辺が上方に向かって凸に湾曲した部分と比べ、ラインの支持位置が後方に移動するのが遅くなる。
【００３７】
また、上述の実施例によると、ルアーの重心位置が位置Ｐ２より前方にある方が、ルアーの重心位置が位置Ｐ２より後方にある場合と比べ、ルアーの飛翔中にラインＬの支持位置が位置Ｐ２に到達した後、ルアーの姿勢が安定する。つまり、ルアーの飛翔中にラインの支持位置が位置Ｐ２に到達する場合、ルアーの重心位置が位置Ｐ２より前方にある方が、ルアーの重心位置が位置Ｐ２より後方にある場合と比べて、ルアーの飛距離を伸ばすことができる。
【００３８】
なお、上述の実施例にある通り、ルアーの重心位置を前方に設定するか後方に設定するかによって水面下でのルアーの挙動が異なる。このような水面下でのルアーの挙動は、釣りのターゲットや環境等の条件に応じて適宜選択されることが好ましい。したがって、水面下でのルアーの挙動の観点では、ルアーの重心位置が位置Ｐ２より前方にあるもの、位置Ｐ２にあるもの、及び、位置Ｐ２より後方にあるものの中から適切なルアーが選択されることが好ましい。
【００３９】
また、上述の実施例に係るルアーにおいては、ラインＬの支持位置が飛翔中に位置Ｐ２に到達する。ラインＬの支持位置が位置Ｐ２に到達するタイミングが遅れるほど、ルアーがその後部を飛翔方向に向ける期間が長くなるため、ルアーの飛翔距離が伸びやすい。このため、飛翔距離を伸ばす観点では、ラインＬの支持位置が位置Ｐ２に到達するのができるだけ遅くなるようにスライド孔１０又は１１の形状が調整されることが好ましい。例えば、ルアーの着水前後にラインＬの支持位置が位置Ｐ２に到達するようにスライド孔１０又は１１の形状が調整されていることが好ましい。この場合、ルアーの飛翔期間のほぼ全体に亘ってルアーの後部が飛翔方向を向く。このため、このようなルアーに関しては、ルアーの重心が位置Ｐ２より後方にある方が、ルアーの重心が位置Ｐ２より前方にあるより、飛翔姿勢が安定して飛距離が伸びやすい。このように、飛距離を伸ばす観点では、ルアーの重心位置を位置Ｐ２より前方に配置するか後方に配置するかについては、ラインＬの支持位置が位置Ｐ２に到達するタイミングに応じ、飛距離の伸びやすい方が選択されることが好ましい。
【符号の説明】
【００４０】
１        ルアー
２        ルアー本体（本体）
３        背板部
１０      スライド孔
１０ａ    縁辺
１０ａ    突出部
１０ｂ          突出部
１１      スライド孔
１１ａ    縁辺
１１ｂ    突出部
【要約】
【課題】簡易な構造でラインの支持位置を変動させることができ、且つ、ラインの支持位置の変動範囲に関して設計自由度が高い。
【解決手段】ルアー１には、ルアー１を左右方向に貫通するスライド孔１０が形成されている。スライド孔１０には、スプリットリングＳを介してラインＬが支持される。スライド孔１０は、ルアー１の前部の位置Ｐ１から位置Ｐ２まで延びている。位置Ｐ２には、上方に突出した突出部１０ａが形成されている。
【選択図】図１【図１】
0005841272.tif 000003
【図２】
0005841272.tif 000004
【図３】
0005841272.tif 000005
【図４】
0005841272.tif 000006
【図５】
0005841272.tif 000007